(57)【要約】【課題】既存のドライヤ等を使用して対象者の頭髪を効率的に乾燥することができ、対象者及び理美容師の負担を軽減することができる頭髪乾燥用アタッチメント及び頭髪乾燥機を提供する。【解決手段】送風手段の吹出口に取り付けられる頭髪乾燥用アタッチメント１０は、吹出口に接続される接続部１３が設けられた後壁１４と、後壁１４と間隔を空けて配置された前壁１５とを有して後壁１４と前壁１５との間に風路１６が形成された中空状のケーシング１７を備え、ケーシング１７は、対象者の頭部１８の後方及び両側を囲うように配置され、前壁１５には、前壁１５に設けられた複数の吹出孔１９により、頭部１８の後方から送風する後方送風部２０と、頭部１８の両側から送風する左右一対の側方送風部２１ａ、２１ｂが形成されている。【選択図】図２
0003229735.tif 000002
【実用新案登録請求の範囲】
【請求項１】
送風手段の吹出口に取り付けられる頭髪乾燥用アタッチメントであって、
前記吹出口に接続される接続部が設けられた後壁と、該後壁と間隔を空けて配置された前壁とを有して前記後壁と前記前壁との間に風路が形成された中空状のケーシングを備え、該ケーシングは、対象者の頭部の後方及び両側を囲うように配置され、前記前壁には、該前壁に設けられた複数の吹出孔により、前記頭部の後方から送風する後方送風部と、前記頭部の両側から送風する左右一対の側方送風部が形成されていることを特徴とする頭髪乾燥用アタッチメント。
【請求項２】
請求項１記載の頭髪乾燥用アタッチメントにおいて、正面視して前記前壁の少なくとも前記吹出口と重なる範囲は閉塞されていることを特徴とする頭髪乾燥用アタッチメント。
【請求項３】
請求項１又は２記載の頭髪乾燥用アタッチメントにおいて、前記後方送風部と前記各側方送風部とのなす角度は９０〜１５０度であることを特徴とする頭髪乾燥用アタッチメント。
【請求項４】
請求項１〜３のいずれか１記載の頭髪乾燥用アタッチメントが取り付けられた前記送風手段を有することを特徴とする頭髪乾燥機。
【請求項５】
請求項４記載の頭髪乾燥機において、前記送風手段を支持する支持脚を有することを特徴とする頭髪乾燥機。
【請求項６】
請求項５記載の頭髪乾燥機において、前記支持脚に移動手段が設けられていることを特徴とする頭髪乾燥機
【請求項７】
請求項５又は６記載の頭髪乾燥機において、前記支持脚は、前記吹出口の高さ調整が可能な伸縮部を有することを特徴とする頭髪乾燥機。
【請求項８】
請求項５〜７のいずれか１記載の頭髪乾燥機において、前記送風手段はドライヤであり、前記支持脚の上端部に前記ドライヤを着脱可能に保持するドライヤ保持手段が取り付けられていることを特徴とする頭髪乾燥機。
【請求項９】
請求項４〜６のいずれか１記載の頭髪乾燥機において、一側が前記吹出口に連結され、他側が前記接続部に連結される送風管を有することを特徴とする頭髪乾燥機。
【請求項１０】
請求項９記載の頭髪乾燥機において、前記送風管は伸縮可能であることを特徴とする頭髪乾燥機。
【考案の詳細な説明】
【技術分野】
【０００１】
本考案は、主に理美容室で用いられ、頭髪の乾燥作業を効率化して、対象者（理美容室の利用者）及び理美容師の負担を軽減することができる頭髪乾燥用アタッチメント及び頭髪乾燥機に関する。
【背景技術】
【０００２】
従来、理美容室では、カット、パーマ及び毛染め等の各種の施術を受ける対象者の頭髪を乾燥する際にドライヤを使用している。このとき、理美容師は、一方の手にドライヤを持って動かしながら、他方の手、或いは他方の手に持った櫛やブラシで頭髪をほぐしたり、持ち上げたりするため、両手が塞がった状態となり、その他の作業を行うことができず、作業効率が低下するという課題がある。また、対象者一人当たりの作業時間は短くても、１日に数多くの対象者を相手にする必要があるため、ドライヤを持つ腕が筋肉痛になることがあり、理美容師の負担となっていた。
これに対し、例えば特許文献１には、半球状（椀状）のフードに複数の吹出孔を設けた床置き型（サロンタイプ）の毛髪乾燥機が開示されている。また、特許文献２には、ドライヤ吹出口に複数のチューブを連結し、それぞれのチューブの先端に取り付けたロッドに毛髪を巻き付けることにより、ロッドに形成したスリットから送風して毛髪を内側から乾かす毛髪の乾燥装置が開示されている。さらに、特許文献３には、複数の吹出孔が設けられた板状の吹出部を有するハウジングを利用者（対象者）が背負うことにより、毛髪を背中側から乾燥する毛髪乾燥装置が開示されている。
【先行技術文献】
【特許文献】
【０００３】
【特許文献１】特開昭５５−８８７０６号公報
【特許文献２】実用新案登録第３１３６７３１号公報
【特許文献３】特開２０１７−２０９１３３号公報
【考案の概要】
【考案が解決しようとする課題】
【０００４】
しかしながら、特許文献１では、複数の吹出孔が同心円状に配置されており、風は後方から前方に向かって吹出すため、対象者の頭髪を側方から乾燥することができず、乾燥斑が発生し易く、効率性に欠けるという課題がある。また、半球状のフードは対象者の頭部に被せるようにして使用されるため、圧迫感があり、対象者は頭部を自由に動かすことができず、快適性に欠けるという課題もある。特許文献２では、使用前に複数のロッドに毛髪を巻き付ける作業と、使用後にロッドを取り外す作業が必要であり、作業時間が長くなり、対象者及び理美容師の負担が増大するという課題がある。特許文献３では、対象者がハウジングを背負わなければならないため、作業中は対象者が身動きできず、対象者への負荷が増大するという課題がある。また、背中と重なる範囲の頭髪は乾燥することができても、肩より上の頭髪を乾燥することはできず、乾燥可能な範囲及び髪型の制約を受け、汎用性に欠けるという課題もある。
【０００５】
本考案は、かかる事情に鑑みてなされたもので、既存のドライヤ等を使用して対象者の頭髪を効率的に乾燥することができ、対象者及び理美容師の負担を軽減することができる頭髪乾燥用アタッチメント及び頭髪乾燥機を提供することを目的とする。
【課題を解決するための手段】
【０００６】
前記目的に沿う第１の考案に係る頭髪乾燥用アタッチメントは、送風手段の吹出口に取り付けられる頭髪乾燥用アタッチメントであって、
前記吹出口に接続される接続部が設けられた後壁と、該後壁と間隔を空けて配置された前壁とを有して前記後壁と前記前壁との間に風路が形成された中空状のケーシングを備え、該ケーシングは、対象者の頭部の後方及び両側を囲うように配置され、前記前壁には、該前壁に設けられた複数の吹出孔により、前記頭部の後方から送風する後方送風部と、前記頭部の両側から送風する左右一対の側方送風部が形成されている。
【０００７】
第１の考案に係る頭髪乾燥用アタッチメントにおいて、正面視して前記前壁の少なくとも前記吹出口と重なる範囲は閉塞されていることが好ましい。
【０００８】
第１の考案に係る頭髪乾燥用アタッチメントにおいて、前記後方送風部と前記各側方送風部とのなす角度は９０〜１５０度であることが好ましい。
【０００９】
前記目的に沿う第２の考案に係る頭髪乾燥機は、第１の考案に係る頭髪乾燥用アタッチメントが取り付けられた前記送風手段を有している。
【００１０】
第２の考案に係る頭髪乾燥機において、前記送風手段を支持する支持脚を有することができる。
【００１１】
第２の考案に係る頭髪乾燥機において、前記支持脚に移動手段が設けられていることが好ましい。
【００１２】
第２の考案に係る頭髪乾燥機において、前記支持脚は、前記吹出口の高さ調整が可能な伸縮部を有してもよい。
【００１３】
第２の考案に係る頭髪乾燥機において、前記送風手段はドライヤであり、前記支持脚の上端部に前記ドライヤを着脱可能に保持するドライヤ保持手段が取り付けられてもよい。
【００１４】
第２の考案に係る頭髪乾燥機において、一側が前記吹出口に連結され、他側が前記接続部に連結される送風管を有することもできる。
【００１５】
第２の考案に係る頭髪乾燥機において、前記送風管は伸縮可能であってもよい。
【考案の効果】
【００１６】
第１の考案に係る頭髪乾燥用アタッチメント及び第２の考案に係る頭髪乾燥機によれば、対象者の頭部の後方及び両側から送風して、対象者の頭髪を効率的に乾燥することができ、対象者及び理美容師の負担を軽減することができる。
【図面の簡単な説明】
【００１７】
【図１】本考案の第１の実施の形態に係る頭髪乾燥用アタッチメントを備えた頭髪乾燥機を示す側面図である。
【図２】（Ａ）は同頭髪乾燥用アタッチメントの正面図であり、（Ｂ）は同頭髪乾燥用アタッチメントの平面図である。
【図３】図１のＡ−Ａ線矢視図である。
【図４】本考案の第２の実施の形態に係る頭髪乾燥用アタッチメントを備えた頭髪乾燥機を示す側面図である。
【考案を実施するための形態】
【００１８】
続いて、添付した図面を参照しつつ、本考案を具体化した実施の形態につき説明し、本考案の理解に供する。
図１及び図２（Ａ）、（Ｂ）に示す本考案の第１の実施の形態に係る頭髪乾燥用アタッチメント１０は、図１に示すように、ドライヤ１１（送風手段の一例）の吹出口１２に取り付けられ、主に理美容室で、カット、パーマ及び毛染め等の各種の施術を受ける対象者の頭髪を効率的に乾燥させるために用いられるものである。
頭髪乾燥用アタッチメント１０は、図２（Ａ）、（Ｂ）に示すように、吹出口１２に接続される接続部１３が設けられた後壁１４と、後壁１４と間隔を空けて配置された前壁１５とを有して後壁１４と前壁１５との間に風路１６が形成された中空状のケーシング１７を備えている。ケーシング１７は、図２（Ｂ）に示すように、対象者の頭部１８の後方及び両側を囲うように配置され、前壁１５には、図２（Ａ）に示すように、前壁１５に設けられた複数の吹出孔１９により、頭部１８の後方から送風する後方送風部２０と、頭部１８の両側から送風する左右一対の側方送風部２１ａ、２１ｂが形成されている。
【００１９】
ここで、図２（Ａ）に示すように、正面視して前壁１５の少なくとも吹出口１２（接続部１３）と重なる範囲が閉塞部２２で閉塞されていることにより、吹出口１２から吹き出す風を風路１６全体に行き渡らせ、複数の吹出孔１９から満遍なく送風して、対象者の頭髪を効率的に乾燥することができる。また、前壁１５に複数の吹出孔１９を設けることにより、風速を弱め、頭髪全体を自然に斑無く乾燥することができ、頭髪へのダメージを軽減することができる。さらに、ケーシング１７は、平面視して略コ字形に形成され、対象者の頭部１８の後方及び両側を囲うように配置されており、対象者の頭部１８の上方が開放されているので、対象者への圧迫感を軽減することができる。また、後方送風部２０及び側方送風部２１ａ、２１ｂの面積は頭部１８に比べて十分に大きく、頭部１８と離れた位置から送風することができるため、頭部１８の前後左右への移動、上下左右への傾動及び回動が制限されることはなく、快適性に優れる
【００２０】
なお、本実施の形態では、吹出孔１９の直径を５ｍｍとしたが、これに限定されるものではなく、ドライヤの送風能力（風量）に応じて、適宜、選択することができる。そして、全ての吹出孔の直径が同一である必要はなく、場所によって異なっていてもよい。また、本実施の形態では、吹出孔１９は閉塞部２２を除いて縦横に等間隔で配置したが、これに限定されるものではなく、例えば千鳥状に配置してもよいし、場所によって間隔を変化させてもよい。吹出孔の数は、例えば２００〜３００個程度が好ましいが、この範囲に限定されるものではなく、吹出孔の直径及び配置等に応じて、適宜、選択することができる。さらに、本実施の形態では、図２（Ｂ）に示すように、後方送風部２０と側方送風部２１ａ、２１ｂとのなす角度θを１２０度としたが、これに限定されるものではなく、９０〜１５０度の範囲で適宜、選択することができる。
【００２１】
ケーシング１７の材質としては、ポリカーボネート、ポリプロピレン、ポリエチレン等の合成樹脂が好適に用いられるが、後方送風部と各側方送風部との接続部（境目）をそれぞれ蛇腹状に形成し、後方送風部と各側方送風部とのなす角度を可変としてもよい。なお、後方送風部及び各側方送風部の表面は平坦状である必要はなく、例えば一部が湾曲していてもよく、平面視してケーシング全体が略Ｕ字形となるように形成してもよい。
また、本実施の形態では、１つのケーシング１７に後方送風部２０及び左右一対の側方送風部２１ａ、２１ｂを一体的に形成したが、平板状の３つのケーシングにより、後方送風部及び左右一対の側方送風部を分割（分離）することもできる。その場合、ドライヤ等の送風手段の吹出口を後方送風部のみに接続し、後方送風部と各側方送風部を連結管で連結してもよいし、分岐管を用いて吹出口を後方送風部及び各側方送風部にそれぞれ接続してもよい。
【００２２】
頭髪乾燥用アタッチメント１０を備えた頭髪乾燥機２４は、図１に示すように、ドライヤ１１と、ドライヤ１１を支持する支持脚２５を有している。この支持脚２５は、吹出口１２の高さ調整が可能な伸縮部２６を有しており、対象者の頭部１８の高さに応じて位置調整を行うことができる。本実施の形態では、２本の管体２７ａ、２７ｂが摺動可能に連結された伸縮部２６を、螺子止め又はピン嵌合で固定する構造としたが、伸縮部の構造は、これに限定されるものではなく、適宜、選択することができ、場合によっては伸縮部を省略することもできる。また、支持脚２５の上端部には、図１、図３に示すように、ドライヤ１１を着脱可能に保持するドライヤ保持手段２９が取り付けられている。ドライヤ保持手段２９は、ドライヤ１１の握り手３０が挿通される筒型の挿通部３１と、挿通部３１の内部で握り手３０に押し当てられて握り手３０を挿通部３１に固定する螺子止め式の固定具３２を有している。また、挿通部３１の前面には、ドライヤ１１の操作部３３の位置に合わせて切り欠き３４が形成されており、ドライヤ１１をドライヤ保持手段２９に保持した状態で操作可能となっている。ドライヤ保持手段２９は、ドライヤの保持安定性に優れ、握り手の形状や大きさの違いの影響を受け難く、既存の様々なドライヤを利用することができ、汎用性に優れる。なお、ドライヤ保持手段は、ドライヤを保持できるものであればよく、その形状及び構造は、適宜、選択することができる。
【００２３】
頭髪乾燥機２４では、ドライヤ１１が支持脚２５で支持され、頭髪乾燥用アタッチメント１０を所望の位置に設置（固定）することができるので、理美容師は操作部３３を操作するだけで、ドライヤ１１を手で持つ必要がなく、理美容師の負担を軽減できる。また、理美容師は頭髪の乾燥中に対象者から離れて他の作業を行うことができ、業務の効率化を図ることができる。さらに、支持脚２５に移動手段３５が設けられることにより、理美容師は頭髪乾燥機２４を持ち上げることなく、床３６の上を簡単に移動させることができ、省力性に優れる。なお、本実施の形態では、支持脚２５の下端部を平面視して十字型に形成し、移動手段３５となる計４つのキャスター３７を取り付けたが、支持脚の形状及びキャスターの数と配置は、適宜、選択することができる。また、頭髪乾燥機が軽量な場合、移動手段を省略してもよい。
【００２４】
続いて、図４に示す本考案の第２の実施の形態に係る頭髪乾燥機４０について説明する。なお、第１の実施の形態と同様の構成については、同一の符号を付して説明を省略する。
図４に示す頭髪乾燥機４０が頭髪乾燥機２４と異なる点は、送風手段として遠心式の電動送風機４１が用いられ、一側が電動送風機４１の吹出口１２に連結され、他側が頭髪乾燥用アタッチメント１０の接続部１３に連結される送風管４２を有し、電動送風機４１を支持する支持脚４３に伸縮部が設けられていない点である。
ドライヤの代わりに電動送風機４１を用いることにより、風量を増加させて乾燥時間を短縮することができる。このとき、電動送風機の形式は遠心式に限定されるものではなく、適宜、選択することができる。なお、温風を送風するために、例えば風路１６の内部又は送風管４２の途中に加熱手段を取り付けてもよい。加熱手段としてはドライヤと同様の電熱線が好適に用いられるが、これに限定されるものではない。また、送風管４２の直径、長さ及び経路の形状は、適宜、選択することができる。支持脚４３に伸縮部を設けない代わりに、送風管を伸縮可能として高さ調整を行うこともできる。
頭髪乾燥機４０で得られるその他の作用、効果は頭髪乾燥機２４と同様なので説明を省略する。
【００２５】
以上、本考案の実施の形態を説明したが、本考案は、上記した形態に限定されるものではなく、要旨を逸脱しない条件の変更等は全て本考案の適用範囲である。
【符号の説明】
【００２６】
１０：頭髪乾燥用アタッチメント、１１：ドライヤ（送風手段の一例）、１２：吹出口、１３：接続部、１４：後壁、１５：前壁、１６：風路、１７：ケーシング、１８：頭部、１９：吹出孔、２０：後方送風部、２１ａ、２１ｂ：側方送風部、２２：閉塞部、２４：頭髪乾燥機、２５：支持脚、２６：伸縮部、２７ａ、２７ｂ：管体、２９：ドライヤ保持手段、３０：握り手、３１：挿通部、３２：固定具、３３：操作部、３４：切り欠き、３５：移動手段、３６：床、３７：キャスター、４０：頭髪乾燥機、４１：電動送風機（送風手段の一例）、４２：送風管、４３：支持脚
【図１】
0003229735.tif 000003
【図２】
0003229735.tif 000004
【図３】
0003229735.tif 000005
【図４】
0003229735.tif 000006